(57)【特許請求の範囲】
【請求項１】
電気通信ネットワークと、１つ又は複数のワイヤレス・アクセス・ポイントを含む少なくとも１つのローカル通信ネットワークと、サーバとを備えるシステムにおける移動デバイス上でローカル緊急情報を受信する方法であって、前記移動デバイスによる、
−前記電気通信ネットワークのチャネル、たとえばブロードキャスト・チャネルを介して緊急事態指示子を含む一般緊急信号を受信するステップと、
−前記一般緊急信号の受信に応答して、前記１つ又は複数のワイヤレス・アクセス・ポイントのうち１つを選択するステップと、
−前記ローカル緊急情報を送信することを求める要求を伴って前記選択したワイヤレス・アクセス・ポイントに接続するステップであって、前記要求が前記緊急事態指示子を含むステップと、
−前記選択したワイヤレス・アクセス・ポイントから前記ローカル緊急情報を受信するステップであって、前記選択したワイヤレス・アクセス・ポイントが、前記サーバと協働して、当該ワイヤレス・アクセス・ポイントの識別子と前記緊急事態指示子とに基づいて前記サーバが取り出した前記ローカル緊急情報を受信するステップと、
を含む、方法。
【請求項２】
請求項１に記載の方法であって、前記ワイヤレス・アクセス・ポイントに接続するステップは、前記一般緊急信号の受信に応答して自動的に実行される、方法。
【請求項３】
請求項１に記載の方法であって、
−前記移動デバイスが、前記一般緊急信号の受信の指示を、該デバイスのユーザに提供するステップと、
−前記指示を提供した後に、前記移動デバイスにおけるユーザ入力に応答して、前記ワイヤレス・アクセス・ポイントに接続するステップと、
をさらに含む、方法。
【請求項４】
請求項１〜３のうちのいずれか１項に記載の方法であって、前記ワイヤレス・アクセス・ポイントのうちの１つ又は複数から緊急情報存在指示を受信するステップをさらに含む、方法。
【請求項５】
請求項１〜４のうちのいずれか１項に記載の方法であって、前記ワイヤレス・アクセス・ポイントのうちの１つ又は複数は、少なくとも１つの自由にアクセス可能なチャネルを提供し、前記方法は、前記要求を送信するために、前記自由にアクセス可能なチャネルを使用して前記ワイヤレス・アクセス・ポイントに接続するステップをさらに含む、方法。
【請求項６】
請求項１〜５のうちのいずれか１項に記載の方法であって、前記ワイヤレス・アクセス・ポイントに接続するステップは、複数のワイヤレス・アクセス・ポイントを有する前記ローカル通信ネットワークに対する所定のアカウントを用いて実行される、方法。
【請求項７】
請求項１〜６のうちのいずれか１項に記載の方法であって、前記移動デバイスは、前記一般緊急信号の受信に応答して、前記ローカル緊急情報について、前記ワイヤレス・アクセス・ポイントのうちの１つ又は複数に対してポーリングする、方法。
【請求項８】
前記ローカル緊急情報は、特定の建造物又は建造物群に関連する、請求項１〜７のうちのいずれか１項に記載の方法。
【請求項９】
プロセッサ装置上で実行されると、請求項１〜８のうちのいずれか１項に記載のステップを実行することが可能であるソフトウェア・コード部分を含む、コンピュータ・プログラム。
【請求項１０】
請求項９に記載のコンピュータ・プログラムを記録した記録媒体。
【請求項１１】
アンテナと、プロセッサと、記憶デバイスとを備える移動デバイスであって、該移動デバイスは電気通信ネットワーク及びローカル通信ネットワークに接続するように構成されており、前記記憶デバイスは、請求項９に記載のコンピュータ・プログラムのソフトウェア・コード部分を格納しており、それによって、該移動デバイスは、前記コンピュータ・プログラムが前記プロセッサ上で起動されると、請求項１〜８のうちのいずれか１項に記載の方法を実行するように構成される、移動デバイス。
【請求項１２】
ローカル緊急情報を移動デバイスに提供するように構成されるシステムであって、該システムは、１つ又は複数のワイヤレス・アクセス・ポイントを含む少なくとも１つのローカル通信ネットワークと、前記ローカル緊急情報にアクセスすることができるサーバとを備えており、
−前記移動デバイスが、緊急事態指示子を含む一般緊急信号の受信に応答して、前記１つ又は複数のワイヤレス・アクセス・ポイントのうち１つを選択し、前記ローカル緊急情報を送信することを求める要求を伴って前記選択したワイヤレス・アクセス・ポイントに接続するように構成され、前記要求が緊急事態指示子を含み、
−前記選択されたワイヤレス・アクセス・ポイントが、前記要求を受信し、該要求を前記サーバに送信するように構成され、
−前記サーバが、前記要求と前記選択されたワイヤレス・アクセス・ポイントの識別子とを受信するように構成され、
−前記サーバが、前記要求に応答して、当該ワイヤレス・アクセス・ポイントの識別子と前記緊急事態指示子とに基づいて前記ローカル緊急情報を取り出し、該ローカル緊急情報を前記ワイヤレス・アクセス・ポイントのうちの少なくとも１つに送信するように構成され、
−前記ワイヤレス・アクセス・ポイントが、前記ローカル緊急情報を前記移動デバイスに送信するように構成される、システム。
【請求項１３】
請求項１２に記載のシステムであって、前記一般緊急信号を、ブロードキャスト・チャネルを介して前記移動デバイスに送信するように構成される電気通信ネットワークをさらに備える、システム。
【請求項１４】
請求項１２又は１３に記載のシステムであって、前記ワイヤレス・アクセス・ポイントは、前記ローカル緊急情報を送信することを求める前記要求を受信するための、少なくとも１つの自由にアクセス可能なチャネルを提供するように構成される、システム。
【請求項１５】
請求項１２〜１４のうちのいずれか１項に記載のシステムであって、前記サーバは、所定のオープン・アカウント下で前記ローカル緊急情報を利用可能にするように構成される、システム。
【請求項１６】
請求項１２〜１６のうちのいずれか１項に記載のシステムであって、前記ローカル緊急情報は、特定の建造物又は建造物群に関連する、システム。
【請求項１７】
１つ又は複数のワイヤレス・アクセス・ポイントを含む少なくとも１つのローカル通信ネットワークと、ローカル緊急情報にアクセスすることができるサーバとを備えるシステムから前記ローカル緊急情報を提供する方法であって、
緊急事態指示子を含む一般緊急信号を受信したデバイスにおいて、前記１つ又は複数のワイヤレス・アクセス・ポイントのうちの１つを選択し、前記ローカル緊急情報を送信することを求める要求を伴って前記選択したワイヤレス・アクセス・ポイントに接続するステップであって、前記要求が前記緊急事態指示子を含むステップと、
前記選択されたワイヤレス・アクセス・ポイントにおいて、前記移動デバイスから前記ローカル緊急情報を送信することを求める要求を受信するステップと、
前記サーバにおいて、前記要求と前記選択された前記ワイヤレス・アクセス・ポイントの識別子とを受信するステップと、
前記サーバにおいて、前記要求に応答して、前記選択したワイヤレス・アクセス・ポイントの識別子と前記緊急事態指示子とに基づいてローカル緊急情報を取り出すステップと、
前記サーバにおいて、前記ローカル緊急情報を前記移動デバイスに送信するステップと、
を含む、方法。
【請求項１８】
請求項１７に記載の方法であって、前記システムは電気通信ネットワークをさらに備えており、該方法は、前記電気通信ネットワークからの前記一般緊急信号に応答して、前記ローカル緊急情報を送信することを求める前記要求を受信するステップを含み、前記一般緊急信号は、ブロードキャスト・チャネルを介して送信される、方法。
【請求項１９】
請求項１７又は１８に記載の方法であって、前記ローカル緊急情報を送信することを求める前記要求を受信するための、少なくとも１つの自由にアクセス可能なチャネルを提供するステップをさらに含む、方法。
【請求項２０】
請求項１７〜１９のうちのいずれか１項に記載の方法であって、前記ローカル緊急情報を、所定のオープン・アカウント下で利用可能にするステップをさらに含む、方法。
【請求項２１】
請求項１７〜２０のうちのいずれか１項に記載の方法であって、前記ローカル緊急情報は、特定の建造物又は建造物群に関連する、方法。
【発明の詳細な説明】
【技術分野】
【０００１】
本発明は、ワイヤレス通信の技術分野に関するものである。より詳細には、本発明は、緊急情報、特にローカル緊急情報を受信する方法に関するものである。本発明はまた、そのような緊急情報を提供するシステム及び方法に関するものである。
【背景技術】
【０００２】
新千年紀は、２００１年９月１１日の米国におけるいくつかの建造物に対する攻撃から２００４年１２月２６日のアジア太平洋地域における津波までの世界的な事件から、多くの地方の事件に及ぶ、さまざまな例の災害を見せている。緊急警報システムは、このような状況、並びに大火災及び地震を含む他の緊急事態において不可欠である。
【０００３】
かつて、可聴式の警報システム及び視覚的な警報システムによって人々は緊急状況の存在を警告されていた。しかしながら、これらのシステムは、このような状況下で人々にどのように行動すべきかを通知していなかった。避難計画は慣習どおりに実施されているが、多くの人々はこれらの計画を危機的な状況に適用するほど十分詳細には知らない。
【０００４】
今日、実質的にすべての人々が移動通信装置を所有している。この状況を、緊急状況に有利に用いることができると考えられている。
一例として、ＥＴＳＩは現在、ＴＳ  １０２  １８２における緊急通信を標準化しようと試みている。これらの着想のうちの１つは、予測可能な短い時間期間内に特定のロケーションの多数の市民の移動電話にメッセージをブロードキャストすることを可能にする、セル・ブロードキャスト・サービス（ＣＢＳ）を使用することである。目標は、関連領域の市民の５０％に３分以内に警告を提供すること、及び、その領域の市民の９７％に５分以内に警告を提供することである。ブロードキャストの性質によって、単一のメッセージがローミングサービス利用者(romers)の移動電話を含むすべての移動電話に到達することができる。メッセージは、後にその領域に進入する人、又は以前のメッセージを受信し損なった人のために繰り返され得る。セル・ブロードキャストは専用チャネルを使用するため、ネットワーク内の音声及びデータのトラフィックが混雑している場合であっても、その機能は概ね利用可能である。ＣＢＳシステムは、関連領域の人々に対して緊急状況に関する情報を提供することを可能にする。
【０００５】
ＣＢＳシステムのための領域は、１つのセル程度に小さくすることができる。しかしながら、このようなセルは災害に関する領域に関して、依然として相当な寸法を有する可能性がある。さらに、１つ又は複数のセル領域が、緊急情報を提供する関連領域に完全に一致することは滅多にない。最後に、セル内で、そのセル内の異なる位置ごとに関連する緊急情報が異なる場合がある。一例として、建造物のいくつかの階層にいる人々は、たとえばエレベータの使用に関する異なる緊急情報を必要とする場合がある。
【０００６】
米国特許出願公開第２００７／０２０７７７１号は、ネットワーク・インフラストラクチャを使用して公衆警報情報を効率的に配信することを可能にするシステム及び方法を開示している。公衆警報メッセージは、ネットワークに結合されているワイヤレス受信機によって受信される。無線受信機は、公衆警報メッセージの受信に応答して、メッセージをネットワーク上の複数のユーザにブロードキャストする。
【０００７】
ローカル・ネットワーク上のブロードキャストは単純ではない。かなり大きな量のデータのブロードキャストは、一般的にこのようなネットワークでは可能ではない。通常、セルＩＤ、ＳＳＩＤ等のようなデータのみがブロードキャストされる。さらに、ローカル・ネットワークのセルは通常、サイズが制限されており、そのようなセル内に人が存在する可能性が低い場合、ブロードキャストはリソースの無駄であるとみなされる。さらに、ブロードキャストは、ブロードキャストをいつ開始するか、またいつ終了するかに関して均一に考慮する。
【０００８】
当該技術分野において、改善された緊急事態通知方法及びシステムに対する需要が存在する。
【発明の開示】
【発明が解決しようとする課題】
【０００９】
本発明の目的は、緊急情報、特に特定のロケーションに関連する緊急情報を受信及び提供する、改善された方法及びシステムを提供することである。
【課題を解決するための手段】
【００１０】
出願人は、電気通信ネットワークと、１つ又は複数のワイヤレス・アクセス・ポイントを含む少なくとも１つのローカル通信ネットワークとを備えるシステムにおける移動デバイス上でローカル緊急情報を受信する方法を提案する。移動デバイスは、たとえば電気通信ネットワークのブロードキャスト・チャネルを介して一般緊急信号を受信する。代替的に、専用チャネルのような別のチャネルを使用して、一般緊急信号を提供することができる。しかしながら、セル・ブロードキャストが有利であり得る。一般緊急信号に応答して、移動デバイスはワイヤレス・アクセス・ポイントのうちの１つに接続して、当該移動デバイスにローカル緊急情報を送信することを求める要求を送信する。次いで、移動デバイスは上記ワイヤレス・アクセス・ポイントのうちの１つからローカル緊急情報を受信する。
【００１１】
さらに、移動デバイスにローカル緊急情報を提供するように構成されるシステムが提案される。本システムは、１つ又は複数のワイヤレス・アクセス・ポイントを含む少なくとも１つのローカル通信ネットワークと、ローカル緊急情報にアクセスすることができるサーバとを備える。ワイヤレス・アクセス・ポイントは、ローカル緊急情報を送信することを求める要求を受信すると共に、当該要求をサーバに送信するように構成される。サーバは、当該要求に応答してローカル緊急情報を取り出すと共に、当該ローカル緊急情報を複数のワイヤレス・アクセス・ポイントのうちの少なくとも１つに送信するように構成される。ワイヤレス・アクセス・ポイントは、上記ローカル緊急情報を上記移動デバイスに送信するように構成される。
【００１２】
さらに、ローカル緊急情報を提供する方法が提案される。本方法は、１つ又は複数のワイヤレス・アクセス・ポイントを含む少なくとも１つのローカル通信ネットワークと、ローカル緊急情報にアクセスすることができるサーバとを備えるシステムにおいて実施される。ローカル緊急情報を送信することを求める要求が、上記移動デバイスから上記ワイヤレス・アクセス・ポイントのうちの１つにおいて受信される。ローカル緊急情報は、この要求に応答してサーバから取り出される。次いで、ローカル緊急情報が移動デバイスに送信される。
【００１３】
これらの方法及びシステムにおいて使用されるコンピュータ・プログラム、電子キャリア又は電子媒体及び移動デバイスも提案される。
提案される方法及びシステムは、電気通信ネットワークとローカル・エリア・ネットワークとを組み合わせて使用し、これは大規模な事象の場合に特に有利である。（セル）ブロードキャスト信号とすることができる、電気通信ネットワークを介する一般緊急信号が、ユーザの移動デバイスの、ローカルに関連する公衆緊急情報、すなわち、セルの一部のみをカバーする領域のみに対して利用可能な情報の抽出しをトリガする。ローカル緊急情報はローカルに格納及び提供され、ローカル・システム管理者によってローカルな状況に適合することができる。ローカル・ネットワークからブロードキャストする必要はない。
【００１４】
ローカル緊急情報は、テキスト、イラスト、聴覚情報、ビデオ情報等を含むことができる。ローカル緊急情報はたとえば、最も適切な避難経路、隠れ場所、集合区域の地図、及び、たとえば開いた窓及びドアに関して行動する方法に関する情報を含むことができる。
【００１５】
移動デバイスは、たとえば移動デバイスのユーザが領域／建造物を通り抜けて移動する場合に、ローカル緊急情報を求める複数の要求を送信することができる。次いで、適切なローカル緊急情報は、ユーザの実際のロケーションによって変化し得る。
【００１６】
請求項２に係る発明の実施の形態は、移動デバイスのユーザが、ユーザの介入を必要とすることなく、ローカル緊急情報を自動的に提供されるという利点を有する。ユーザは単純に、自身の移動デバイス（又は当該移動デバイスの、音を出す均等物）の表示を参考にして、ローカルに関連する緊急情報を取得する。
【００１７】
請求項３に係る発明の実施の形態は、緊急の場合に、ローカル緊急情報を求める要求によってワイヤレス・アクセス・ポイントに負荷をかけすぎないという利点を提供する。ユーザはたとえば、ソフトキーを提供されることができ、当該ソフトキーは、ユーザが単純にこのキーを操作することによって要求を送信することを可能にする。この実施の形態の結果、さまざまな要求間にタイミング差が生じる。さらに、人によっては、どのように行動すべきかを知っているか、又は他者の指示に従うため、ローカル緊急情報を必要としない場合がある。
【００１８】
請求項４に係る発明の実施の形態は、ローカル緊急情報が存在することを移動デバイスに信号通知するという利点を提供する。この態様はたとえば、ローカル・ネットワークのブロードキャスト・チャネル、たとえばＳＳＩＤチャネルにフラグを設定することによって実施することができる。次いで、移動デバイスは、ローカル緊急情報がサーバに存在する場合にのみ、この情報を求める要求を送信することができる。この実施の形態は、無線リソースを節約することができ、緊急サービスの信頼性を向上させることもできる。
【００１９】
ローカル通信ネットワークは、このネットワークのサービスエリア内の全員に対してはオープンでなくすることができる。一例として、会社の通信ネットワークは、デフォルトではビジタに対してオープンでないことができる。これらの場合には通常、認証が必要である。ローカル通信ネットワークは、移動デバイスからのローカル緊急情報を求める要求を認識するように構成されるべきである。請求項５、請求項６、請求項１５、請求項１６、請求項２２、及び請求項２３に係る発明の実施の形態は、ローカル通信ネットワークのサービスエリアにおける実質的にすべての移動デバイスが、ローカル緊急情報に常にアクセス可能であることを確実にする。この目的のために、移動デバイスは、プログラムされたアカウント、及び／又はこのような要求を行うのに（且つ情報を受信するのに）利用可能なチャネルを有することができ、ローカル通信ネットワークは、すべての状況下でこのような要求を受け入れるようにプログラムされる。
【００２０】
請求項７に係る発明の実施の形態は、移動デバイスが、ワイヤレス・アクセス・ポイントにローカル緊急情報を求めて問い合わせるという利点を提供する。ポーリングは一般的に、さまざまな要求間にタイミング差を導入し、その結果、ワイヤレス・アクセス・ポイントの過負荷を回避する。
【００２１】
請求項８、請求項１７、及び請求項２４に係る発明の実施の形態は、ローカル緊急情報の精度を向上させるために、たとえば緊急事態の種類（たとえば地震、火災、テロリスト攻撃、洪水等）に関する高レベルの指示を前もって受信することによって、サーバシステムから必要とされるローカル緊急情報を取り出すことを容易にするという利点を提供する。
【００２２】
請求項１９、及び請求項２６に係る発明の実施の形態は、ローカル緊急情報が、移動デバイスが接続するワイヤレス・アクセス・ポイントに依存することを可能にすることによって、ローカル緊急情報の精度を高める。
【００２３】
以降において、本発明の実施形態をさらに詳細に説明する。しかしながら、これらの実施形態は、本発明の保護範囲を限定するものとしては解釈され得ないことを理解されたい。
【図面の簡単な説明】
【００２４】
【図１】図１は、ローカル緊急情報を提供するシステムの概略図である。
【図２】図２は、図１のシステム内で動作するように構成される移動デバイスの概略図である。
【図３】図３は、図１のシステム内で動作するように構成されるサーバ装置の概略図である。
【図４】図４は、図１のシステムを動作させる方法におけるステップを含むフローチャートである。
【図５】図５は、図３のサーバ装置のためのデータベース・モデルの一例を示す図である。
【発明を実施するための最良の形態】
【００２５】
図１は、電気通信インフラストラクチャ２を含むシステム１を示す。電気通信インフラストラクチャ２の基地局３は、セル・ブロードキャスト信号４が伝送される無線セルを画定する。電気通信インフラストラクチャ２は概して、当業者に一般的に既知の方法で有線システムに接続される複数の基地局３を備える。電気通信ネットワーク２はたとえば、ＧＳＭネットワーク、ＵＭＴＳネットワーク又は別のワイヤレス通信ネットワークとすることができる。
【００２６】
システム１は、サーバ６に通信可能に接続される複数のワイヤレス・アクセス・ポイントＷＡＰ１〜ＷＡＰ５を含むローカル通信ネットワーク５も備える。ローカル通信ネットワーク５は会社の建造物７内に存在する。会社の建造物は概して、おそらく建造物のさまざまな階層の、会社の領域にわたって分散される６つ以上のワイヤレス・アクセス・ポイントを含む。無論、建造物は、ホテル、空港、政府庁舎等のような公共建造物とすることもできる。概して、会社の領域は、図１に示されるように、セル領域の一部をカバーするに過ぎない。
【００２７】
移動電話、ラップトップコンピュータ、個人情報端末（ＰＤＡ）、又は携帯可能であるように意図される任意の他の通信装置のような移動デバイス８は、電気通信ネットワーク２及びローカル通信ネットワーク５の両方と通信するように構成される。ローカル通信ネットワーク５と移動デバイス８との間の通信９は、ＷＬＡＮ通信ネットワークとすることができる。代替形態は、Ｂｌｕｅｔｏｏｔｈ、ＷｉＭａｘ、ＨＳＰＡ、ＲＦＣ等を含む。移動デバイス８は、１つ又は複数のキーと、ディスプレイとを備える。
【００２８】
図２は移動デバイス８の概略図を示し、図３はサーバ６の概略図を示す。
移動デバイス８は、送信部Ｔｘと、受信部Ｒｘとを備える。両部分は、ストレージ１１に接続されているプロセッサ１０と通信する。
【００２９】
サーバ６は、サーバ６がそれを通じてワイヤレス・アクセス・ポイントＷＡＰ１〜ＷＡＰ５に通信可能に接続されるネットワーク・インタフェース１５を備える。通信信号はプロセッサ１６によって処理される。プロセッサ１６は、ローカル緊急情報を有する内部又は外部のデータベース１７にアクセスすることができる。ローカル緊急情報は、建造物７のみに関連する緊急情報から成る。
【００３０】
これより、システムを動作させる一実施形態を、図４及び図５を参照して説明する。
緊急状況が検出されたと仮定する。緊急状況は、停電（Outage：電力・水道・ガス等の供給停止）緊急事態、雪崩警報、雪崩警戒（Watch：注意報）、生物災害警報、暴風雪警報、水道水使用禁止警報、化学災害警報、児童誘拐緊急事態、市民危険警報、市民緊急メッセージ、沿岸洪水警報、沿岸洪水警戒、感染症警報、ダム決壊警報、ダム警戒、砂塵嵐警報、地震警報、緊急行動通知、緊急行動終了、避難警戒、火災警報、射流洪水警戒、射流洪水声明、射流洪水警報、急速凍結警報、洪水声明、洪水警報、食品汚染警報、凍結警報、危険物警報、ハリケーン声明、ハリケーン警報、ハリケーン警戒、強風警報、強風警戒、氷山警報、即時避難、産業火災警報、地滑り警報、法令執行警報、局所緊急事態、原子力発電所警報、停電勧告、放射線災害警報、シェルター整備警報、特別海上警報、特別気象声明、強雷雨警報、強雷雨警戒、天気擾乱声明、テロリスト攻撃、竜巻警報、竜巻警戒、熱帯暴風雨警報、熱帯暴風雨警戒、津波警報、津波警戒、火山警報、自然火災警報、大雪警報、及び大雪警戒を含むことができる。
【００３１】
セル・ブロードキャスト・メッセージ４は、電気通信システム２から送信される。セル・ブロードキャスト・メッセージ４は、そのメッセージが火災警報に関連することを信号伝達する緊急事態指示子を含むことができる。セル・ブロードキャスト・メッセージ４は、移動デバイス８の受信部Ｒｘによって受信され（図４のステップ２０）、次いでプロセッサ１０によって処理されることができる。この一般緊急メッセージの処理は、プロセッサ１０の他のタスクを超える優先度を取得する。
【００３２】
しかしながら、一般緊急信号は別のチャネル又はネットワークを介して伝送することができることを理解されたい。信号はたとえば、ＳＭＳメッセージとすることができる。
続いて、図４のステップ２１において、ローカル緊急情報を求める要求が、ＷＬＡＮネットワーク通信プロトコルを使用して移動デバイス８から、詳細には送信部Ｔｘからローカル通信ネットワーク５に送信される。要求は、電気通信ネットワーク２から取得される緊急事態指示子を含むことができる。
【００３３】
要求は、さまざまな方法でトリガすることができる。
第１の例として、一般ブロードキャスト緊急メッセージ４が、移動デバイス８の、ローカル緊急情報を求める要求の自動的な送信をトリガすることができる。この目的のために、プロセッサ１０は入来する一般緊急情報を処理するとき、ストレージ１１から所定のチャネル情報又は所定のアカウント情報を取り出し、予め格納されているチャネル情報及び／又は予め格納されているアカウント情報を使用してローカル通信ネットワーク５に自動的に接続する。ワイヤレス・アクセス・ポイント及びサーバは、この情報を用いて要求を受け入れるように構成されている。
【００３４】
要求をトリガする代替形態は、プロセッサ１０が、一般緊急メッセージが受信されていることの指示を移動デバイス８のディスプレイ上に提供することを含む。ユーザは、ローカル緊急ネットワーク５に対してローカル緊急情報を求める要求を送信する選択肢を、たとえばこの選択肢を移動デバイス８のソフトキー機能として提示することによって提示される。ユーザがこの選択肢を選択する場合、要求は上記のパラグラフで説明したものと同じ方法でローカル通信ネットワーク５に送信される。
【００３５】
万一、ローカル通信ネットワーク５がクローズなネットワークである場合には、上記方法は、ローカル緊急情報を求める要求がサーバ６によって受信及び処理されることができることを保証する。デフォルトのアカウントを、サーバ６へのアクセスを確証する移動デバイス８内にプログラムすることができる。また、特定のチャネル、たとえばＳＳＩＤチャネルを提供して、認証を必要とする、そうでなければクローズなローカル通信ネットワーク５におけるサーバ６との通信を保証することができる。要求は、認証が必要とされないフラグを含む。サーバ６は、ローカル緊急情報のみに対するアクセスが提供されるようにプログラムすることができる。
【００３６】
要求を送信するために、移動デバイスは複数のワイヤレス・アクセス・ポイントのうちの１つ、たとえばＷＬＡＮ３に接続する。最も適切なワイヤレス・アクセス・ポイントを、ポーリング機構によって選択することができる。一般に、最良の信号を提供するワイヤレス・アクセス・ポイントが選択され、概して、そのワイヤレス・アクセス・ポイントは移動デバイスに最も近いアクセス・ポイントである。
【００３７】
適切なワイヤレス・アクセス・ポイントＷＬＡＮ１〜ＷＬＡＮ５を、ワイヤレス・アクセス・ポイントのうちの１つ又は複数からの緊急情報存在指示に基づいて選択することができる。これによって、ローカル緊急情報を求める要求が、たとえばサービスをサポートしないワイヤレス・アクセス・ポイントに対して為されることが回避される。
【００３８】
要求は続いて、緊急事態の種類を示す緊急事態指示子と共に、このワイヤレス・アクセス・ポイント３によって受信される。要求はサーバ６に転送されてサーバ６によって受信され（ステップ２２）、おそらくまた、移動デバイス８に接続されているワイヤレス・アクセス・ポイントの識別子を含む。
【００３９】
次いで、要求は、ネットワーク・インタフェース１５を通じてサーバ６によって受信される。ここで、要求は、緊急事態指示子、及び、移動デバイス８が接続されているワイヤレス・アクセス・ポイント（ここではＷＡＰ３）の識別子の両方を含むものと仮定する。
【００４０】
サーバ６のプロセッサ１６はここで、関連するローカル緊急情報を求めてデータベース１７内を探索する（ステップ２３）。
図５は、そこからローカル緊急情報を選択することができるデータベース・モデルの一実施形態を提供する。緊急事態指示子（Ｅｍｅｒ＿ｉｄ１、Ｅｍｅｒ＿ｉｄ２、Ｅｍｅｒ＿ｉｄ３等）及びワイヤレス・アクセス・ポイント識別子（ＷＡＰ１、ＷＡＰ２、ＷＡＰ３、ＷＡＰ４、ＷＡＰ５、．．．）は、データベース１７からローカル緊急情報を選択する役割を果たす。火災警告が緊急事態指示子Ｅｍｅｒ＿ｉｄ２を有すると仮定される場合、ローカル緊急情報３０が選択されることになる。
【００４１】
無論、より高度なデータベース・モデルを想定することができる。一例として、データベース１７に格納されている情報を可能な最小単位に分割することができる。次いで、ローカル緊急情報を求める要求が受信されると、この情報を続いて組み立てることができる。
【００４２】
緊急事態指示子又はワイヤレス・アクセス・ポイント識別子に関する情報は、結果として得られるローカル緊急情報の精度及び妥当性を向上させることができるが、この情報を取得することは必須ではないことを理解されたい。一例として、ワイヤレス・アクセス・ポイント識別子が損なわれる場合、すべてのワイヤレス・アクセス・ポイントＷＡＰ１〜ＷＡＰ５が依然として、緊急事態指示子によって指示される緊急事態に関する建造物７のローカル緊急情報を提供することが可能である。
【００４３】
データベース１７から取得されるローカル緊急情報３０は、次いで再びワイヤレス・アクセス・ポイントＷＡＰ３を介して移動デバイス８に通信される。移動デバイス８のユーザが平均時間内に移動しており、目下別のワイヤレス・アクセス・ポイントに接続されている場合、ローカル緊急情報を、その別のワイヤレス・アクセス・ポイントを介して移動デバイス８に通信することができる。図４のステップ２４において、ローカル緊急情報３０が、移動デバイスによって受信される。次いで、ローカル緊急情報３０は、たとえば移動デバイスのディスプレイ又はスピーカを使用して移動デバイス８のユーザに提示される（ステップ２５）。
【００４４】
移動デバイス８が既にローカル通信ネットワークにログインしている場合、サーバ６はまた、この移動デバイス８にローカル緊急情報を提供することになることを理解されたい。
【図１】
0005356004.tif 000002
【図２】
0005356004.tif 000003
【図３】
0005356004.tif 000004
【図４】
0005356004.tif 000005
【図５】
0005356004.tif 000006